(57)【要約】【課題】屋外に設置されるガスボンベの保護に好適に使用できるようなガスボンベカバーの提供。【解決手段】上面を塞ぐ屋根板５１と側面を囲む側壁板６１，６２を有し、ガスボンベ１２に被覆可能な大きさで下端が開口した硬質の本体部３１を備える。本体部３１の下端に下へ延びる複数の脚部３２を設けて、本体部３１の下端部に下端開口３３を形成し、脚部３２の下端には、設置面１７に対して着脱可能な固定部３４を形成する。また、側壁板６１，６２の上端部に上端開口３５を形成する。下端開口と上端開口は本体部３１の全周に形成し、下端開口から上端開口への空気の自然対流でガスボンベの過度な温度上昇を防止する。本体部の上端部には、吊り下げ用の係止部７１を形成して、容易な着脱を実現する。【選択図】図１
2020133851.tif 000002
【特許請求の範囲】
【請求項１】
上面を塞ぐ屋根板と側面を囲む側壁板を有し、ガスボンベに被覆可能な大きさで下端が開口した硬質の本体部を備え、
前記本体部の下端に下へ延びる複数の脚部が設けられて下端開口が形成され、
前記脚部の下端には、設置面に対して着脱可能な固定部が形成され、
前記側壁板の上端部に上端開口が形成された
ガスボンベカバー。
【請求項２】
前記下端開口と前記上端開口が全周に形成された
請求項１に記載のガスボンベカバー。
【請求項３】
前記本体部の上端部に、吊り下げ用の係止部が形成された
請求項１または請求項２に記載のガスボンベカバー。
【請求項４】
前記脚部が、縦に延びる柱材の下部で形成され、
前記柱材の上部と下部に、横に延びる横架材が配設され、
上下の前記横架材間に間柱が建て込まれるとともに、
前記柱材と前記間柱に前記側壁板が固定された
請求項１から請求項３のうちいずれか一項に記載のガスボンベカバー。
【請求項５】
少なくとも前記柱材と前記横架材が角形鋼管で形成され、
前記屋根板と前記側壁板が金属板で形成された
請求項４に記載のガスボンベカバー。
【請求項６】
前記側壁板におけるガスボンベの開閉弁に対応する部位に、切り欠きからなる窓部が形成され、
前記窓部を有する前記側壁板が着脱可能である
請求項１から請求項５のうちいずれか一項に記載のガスボンベカバー。
【請求項７】
前記固定部が、水平方向外方に向けて延びる板状に形成され、
前記固定部にアンカーボルトを挿通する貫通穴が形成された
請求項１から請求項６のうちいずれか一項に記載のガスボンベカバー。
【発明の詳細な説明】
【技術分野】
【０００１】
この発明は、屋外に設置されるガスボンベを保護するガスボンベカバーに関する。
【背景技術】
【０００２】
屋外に置かれるガスボンベは、ボンベ収納庫に収納されて保護される。ボンベ収納庫の形態は様々あるが、基本的には、基礎の上に設置され、少なくともガスボンベの周囲を取り囲み、前面に出し入れのための開閉扉が設けられた構成である。換言すれば、ボンベ収納庫は固定式であり、ガスボンベを据え付けるためのものである。
【０００３】
このような構成のため、ボンベ収納庫は高圧ガスを充填するボンベの保護には適用しにくい。つまり、高圧ガスの充填に際しては熱を持つので、散水により冷却しながら充填を行うことがあるが、前述のようにボンベ収納庫は固定式であってガスボンベを囲んでいるので、前面の開閉扉は開くものの作業しにくい。
【発明の概要】
【発明が解決しようとする課題】
【０００４】
この発明は、高圧ガスボンベの保護に好適に使用できるようなガスボンベカバーを提供することを主な目的とする。
【課題を解決するための手段】
【０００５】
そのための手段は、上面を塞ぐ屋根板と側面を囲む側壁板を有し、ガスボンベに被覆可能な大きさで下端が開口した硬質の本体部を備え、前記本体部の下端に下へ延びる複数の脚部が設けられて下端開口が形成され、前記脚部の下端には、設置面に対して着脱可能な固定部が形成され、前記側壁板の上端部に上端開口が形成されたガスボンベカバーである。
【０００６】
この構成のガスボンベカバーは、設置されたガスボンベに対して上から被せて、脚部の下端の固定部を設置面に固定して使用される。ガスボンベに高圧ガスを充填する際など必要な時には、ガスボンベカバーを外して、ガスボンベの全体を開放する。
【０００７】
被覆時において硬質の本体部を構成する屋根板と側壁板が、ガスボンベを飛来物や風雨から守るとともに、直射日光がガスボンベに当たることを防止する。また、下端開口と上端開口が、下端開口から入り上端開口から抜ける空気の自然対流を促進し、容器（ボンベ）の温度上昇を防止する。
【発明の効果】
【０００８】
この発明によれば、ガスボンベカバーは簡易に着脱できる構成であるため、充填時に冷却する必要がある高圧ガスボンベの保護に有利に使用できる。しかも、簡易に着脱できるものの本体部は硬質であるのでガスボンベの保護が確実に行えるうえに、容器の温度上昇が防止されるので、ガスボンベの温度が一定温度（４０℃）を超えないように貯蔵・保管しておかねばならない高圧ガスボンベの場合には特に、有益である。
【図面の簡単な説明】
【０００９】
【図１】使用状態に係るガスボンベカバーの斜視図。
【図２】使用状態に係るガスボンベカバーの正面図。
【図３】ガスボンベカバーで包囲されるガスボンベの正面図。
【図４】ガスボンベカバーの分解斜視図。
【図５】作用状態の斜視図。
【図６】作用状態の断面図。
【発明を実施するための形態】
【００１０】
この発明を実施するための一形態を、以下図面を用いて説明する。
【００１１】
図１に、使用状態に係るガスボンベカバー１１の斜視図を、図２にその前面を表す正面図を示す。
【００１２】
ガスボンベカバー１１は、複数本のガスボンベ１２をまとめたガスボンベ群１３に被せて使用される。まとめるガスボンベ１２の本数は必要な容量に応じて適宜設定される。
【００１３】
ガスボンベ群１３を構成するすべてのガスボンベ１２は、図３に示したように上端の口部１２ａが、連結管１４、つまり主管１４ａと枝管１４ｂで連結されており、カードル１５に収容されている。カードル１５は、ガスボンベ１２を横に寝かせた姿勢で、つまり上端の口部１２ａを横にした状態で収容する横型カードルであり、ガスボンベ１２の大半の部分を露出させる枠状である。
【００１４】
カードル１５の下端には固定脚１６が形成されており、コンクリート製の設置面１７に備えられたアンカーボルト１８によって固定されている。カードル１５に収容されたガスボンベ１２の口部１２ａはすべて同じ方向、図示例では前面側に向けられており、主管１４ａには、ガスの充填を行う充填弁１９と、ガスの取り出しを行う取出弁２０が設けられている。また主管１４ａの他の部位には圧力計２１が備えられている。
【００１５】
なお、図面上、カードル１５は簡略化して描いている。また、図２、図３以外の図面であってガスボンベ１２を描いたものでは、連結管１４等の図示を省略している。
【００１６】
ガスボンベカバー１１は、図１に示したように、下端が開口した硬質の本体部３１を備えている。本体部３１はカードル１５に収容されたガスボンベ群１３に被覆可能な大きさの略立方体形状であり、ガスボンベ群１３を包囲する。本体部３１の下端には下へ延びる複数の脚部３２が設けられて下端開口３３が形成され、脚部３２の下端には、設置面１７に対して着脱可能な固定部３４が形成され、本体部３１の上端部には上端開口３５が形成されている。
【００１７】
本体部３１は、図４に示したように、骨組となる躯体４１と、上面を塞ぐ屋根板５１と、４つの側面を囲む側壁板６１，６２を有している。これら躯体４１と屋根板５１と側壁板６１，６２はすべて金属製であり、特に強度が高く錆にも強いステンレス合金で形成されるのが好ましい。
【００１８】
躯体４１は、縦に延びる複数本の柱材４２，４３と、柱材４２，４３間に架設される横架材４４，４５と、柱材４２，４３と平行に建て込まれる間柱４６，４７を有している。
【００１９】
柱材４２，４３は角形鋼管で構成され、少なくとも４つの角に設けられる。柱材４２，４３の長さはカードル１５の高さよりも長い。躯体４１のうちの一方の面、図示例ではガスボンベ１２を接続する連結管１４が存在する前面を構成する２本の柱材４２は、これと反対側の背面を構成する他の２本の柱材４３の長さよりもの長く設定される。これは屋根に傾斜をつけるためである。屋根の傾斜は主に降雪対策である。
【００２０】
すべての柱材４２，４３の下部が前述した脚部３２である。脚部３２の下端の固定部３４は、水平方向外方に向けて延びる適宜大の板状に形成されている。固定部３４は、設置面１７に設けられたアンカーボルト２５（図１、図２、図５参照）を挿通する貫通穴３４ａを有している。
【００２１】
横架材４４，４５は角形鋼管で構成され、柱材４２，４３の上部と下部に配設されて横に延びている。横架材４４，４５のうち上部の横架材４４は、柱材４２，４３の上端同士を連結している。下部の横架材４５は、柱材４２，４３の下端位置よりも上の位置を水平に連結している。上部の横架材４４のうち左右の側面を構成する横架材４４間には、複数本の補強材４８を架設している。補強材４８はフラットバーなどで構成できる。
【００２２】
間柱４６は、躯体４１における前面以外の３つの面、つまり背面と左右の側面に対応する面に、複数本ずつ設けられ、上下に配設された横架材４４，４５間に建て込まれている。間柱４６の上端と下端は、それぞれ横架材４４，４５に結合一体化される。
【００２３】
躯体４１の前面は、左右方向の中間位置、つまり横架材４４，４５の長手方向の中間位置に間柱４７を有している。この間柱４７も角形鋼管で構成され得るが、前面の間柱４７は、Ｃ形鋼などその他の形状の鋼材であってもよい。
【００２４】
躯体４１の前面を構成する柱材４２と間柱４７の相対向する側面には、複数の固定片４９が突設されている。固定片４９は前面が柱材４２または間柱の前面と面一であり、前後方向に貫通するねじ穴４９ａを有している。
【００２５】
屋根板５１は、躯体４１の平面視形状よりも大きい方形板状であり、前端と後端には、下に向けて曲がる適宜長さの折り曲げ縁５２が形成されている。屋根板５１には通気のための穴を設けずともよく、側壁板６１，６２との協働で直射日光がガスボンベ群１３に当たるのを防ぐに必要な大きさに設定されればよい。
【００２６】
屋根板５１に用いられる金属板は、強度が高いほうが好ましいが、厚さは薄いほうが望ましい。熱容量が小さいほうが、熱をため込まないので冷めやすいからである。金属板の厚さは、例えばＳＵＳ３０４を用いる場合、３ｍｍ程度でよい。
【００２７】
屋根板５１は上部の横架材４４や補強材４８に溶接等により結合一体化される。屋根板５１の厚さが比較的薄いものであっても、横架材４４のほかに補強材４８も存在するので、必要な強度は得られる。
【００２８】
側壁板６１，６２のうち、前面以外の３つの面、つまり背面と左右の側面に対応する面の側壁板６１は、１枚ずつで構成されており、いずれも方形である。通気のための穴は設けなくともよい。側壁板６１の横の長さは、柱材４２，４３同士の間隔よりも若干長く設定される。側壁板６１の縦の長さは、柱材４２，４３の長さよりも短い。より具体的には、側壁板６１の縦の長さは、柱材４２，４３における上下の横架材４４，４５の間隔に対応する長さよりも短い。
【００２９】
これら側壁板６１は柱材４２，４３と間柱４６の外側面に溶接等により結合一体化されている。固定に際しては、直射日光がガスボンベ群１３に当たらないように、側壁板６１の上端位置をガスボンベ群１３の高さよりも上に位置させる。側壁板６１の下端位置は、直射日光が当たるのを防げる範囲内で、ガスボンベ群１３の下端位置よりも上であるほうがよい。下端開口３３が広く取れるからである。
【００３０】
側壁板６１，６２のうち前面の側壁板６２は、柱材４２と間柱４７で挟まれる２つの開口を覆うものであり、２枚備えられている。この側壁板６２の横の長さは、柱材４２と間柱４７の間隔よりも若干長く設定される。側壁板６２の縦の長さは、他の側壁板と同様であって、柱材４２の長さよりも短く、より具体的には、柱材４２における上下の横架材４４，４５の間隔に対応する長さよりも短い。
【００３１】
前面の側壁板６２は柱材４２と間柱４７に対して着脱可能に固定される。すなわち、側壁板６１の左右両側縁に、柱材４２と間柱４７に設けた固定片４９のねじ穴４９ａに対応する位置に貫通穴６３が形成されている。貫通穴６３は、ねじ穴４９ａに螺合するボルト６４が挿通される部分である。
【００３２】
また、前面の側壁板６２の内側面には、フラットバーなどで構成される補強材６５が縦横に設けられており、側壁板６２の強度を高めている。横に延びる補強材６５の長手方向の両方の端面は柱材４２または間柱４７の側面に当接している。
【００３３】
側壁板６２におけるガスボンベ群１３の開閉弁、つまり前述した充填弁１９と取出弁２０に対応する部位と、圧力計２１に対応する部位には、切り欠きからなる窓部６６が形成されている。窓部６６の形状は必要に応じて適宜の形状に形成され得る。
【００３４】
前面の側壁板６２の外側面には、側壁板６２の着脱作業に供するため、複数の取手６７が設けられている。
【００３５】
前述したように、すべての側壁板６１，６２は、柱材４２，４３における上下の横架材４４，４５の間隔に対応する長さよりも短いので、前述した下端開口３３と上端開口３５は全周に形成されることになる。
【００３６】
側壁板６１，６２の厚さについては、屋根板５１の場合と同様であり、側壁板６１，６２を構成する金属板は、強度が高いほうが好ましいが、厚さは薄いほうが望ましく、屋根板５１と同一又は同程度の厚さの金属板を使用するとよい。側壁板６１，６２の厚さが比較的薄いものであっても、柱材４２，４３のほかに間柱４６，４７や補強材６５も存在するので、必要な強度は得られる。
【００３７】
本体部３１の上端部には、吊り下げ用の係止部７１が形成されている。係止部７１は、吊りボルト（アイボルト）で構成できる。係止部７１の形成位置は屋根板５１の四隅における上部の横架材４４又は柱材４２，４３に対応する位置であるとよい。このほか、柱材４２，４３の側面など他の部位に設けることもできる。
【００３８】
以上のように構成されたガスボンベカバー１１は、図５に示したように、簡易に着脱可能な着脱式カバーである。つまり、ガスボンベカバー１１は設置面１７に固定されたカードル１５に対して、必要時に上から被覆して使用される。設置面１７におけるガスボンベカバー１１を固定する位置、具体的には固定部３４の貫通穴３４ａに対応する位置に、あらかじめアンカーボルト２５が設けられている。アンカーボルト２５にはケミカルアンカーや後施工アンカーを使用するとよい。
【００３９】
被覆作業は、ガスボンベカバー１１の上端部の係止部７１にワイヤ７２を引っかけてガスボンベカバー１１をクレーンで吊り下げて、ガスボンベカバー１１を、カードル１５を覆うように降下させるとよい。アンカーボルト２５に脚部３２の下端の固定部３４を固定すれば、設置が完了する。
【００４０】
ガスボンベ１２にガスを充填する際には、設置する場合とは逆の順序でガスボンベカバー１１を外して、ガスボンベ１２の全体を開放する。ガスボンベカバー１１は上端部に吊り下げのための係止部７１を備えたこともあって、ガスボンベカバー１１の着脱は簡単であり、充填時に冷却する必要がある高圧ガスボンベの保護に有効である。
【００４１】
ガスボンベカバー１１がカードル１５に収容されたガスボンベ１２を覆った状態においては、硬質の本体部３１がガスボンベ１２を飛来物や風雨から守る。本体部３１は、躯体４１と屋根板５１と側壁板６１，６２を有し、躯体４１を構成する柱材４２，４３や横架材４４，４５が角形鋼管からなり堅固な構造である上に、柱材４２，４３の下部の脚部３２が設置面１７に強固に固定されているので、ガスボンベ１２の保護は確実に行える。
【００４２】
前面の側壁板６２は着脱式であるが、ボルト６４によって固定するものであって、開閉式の場合とは異なり簡素に構成でき、剛性も得られる。この点からもガスボンベ１２の十分な保護が行える。
【００４３】
また、図６に示したように、本体部３１の下端部には下端開口３３が形成され、上端部には上端開口３５が形成されており、太線の矢印で示したように下端開口３３から入り上端開口３５から抜ける空気の自然対流が生まれ、ガスボンベ１２の温度上昇が防止される。このためガスボンベ１２の温度が一定温度以上にならないように貯蔵・保管しておかねばならない高圧ガスボンベの場合に特に有効である。
【００４４】
下端開口３３と上端開口３５は本体部３１の全周に形成されているので、自然対流は活発に行われ、温度防止効果は高い。しかも、屋根板５１と側壁板６１，６２を構成する金属板は厚さが比較的薄いので、熱容量を小さくでき、自然対流により屋根板５１や側壁板６１，６２自体が冷やされやすいものである。この点からも温度防止効果は高い。
【００４５】
その一方で、柱材４２，４３や横架材４４，４５は角形鋼管で構成されており、そのうえ間柱４６，４７や補強材４８，６５まで備えているので、本体部３１の面強度も十分に得ることができる。
【００４６】
また、側壁板６１，６２のうち前面を以外の側壁板６１は着脱不能であるが、前面の側壁板６２には窓部６６が形成されているので、ガスの取り出しなどの操作は容易である。そのうえ前面の側壁板６２は着脱可能であるので、必要に応じて側壁板６２を外すことによってメンテナンスなどを行うことができる。前面の側壁板６２の着脱は取手６７があるので容易である。
【００４７】
以上のような作用及び効果を有するガスボンベカバー１１は、前述のように高圧ガスボンベの貯蔵・保管に有益であり、特に、次のような用途に好適に使用される。
【００４８】
その用途は、たとえば原子力発電所に設置される緊急対策所に空気を供給する空気供給装置に用いられるガスボンベ１２の保護である。緊急対策所では、外気の流入（外部からの放射性物質の侵入）を防ぐために、緊急対策所の室内を加圧状態に保つ必要があり、そのために高圧の空気を充填したガスボンベ１２を有する空気供給装置が利用される。
【００４９】
スペース等の関係上、ガスボンベ１２を屋内に置けない場合でも、ガスボンベ１２を屋外に設置でき、ガスボンベカバー１１は恒常的に使用できる。
【００５０】
しかもガスボンベカバー１１は、カードル１５とは別体なので、必要時のほか、腐食や損傷によって更新が必要になった場合に、容易に対応できる。
【００５１】
以上の構成はこの発明を実施するための一形態の構成であって、この発明は前述の構成のみに限定されるものではなく、その他の構成を採用することができる。
【００５２】
たとえば本体部３１は、躯体４１を省略して構成してもよい。
【００５３】
また下端開口３３や上端開口３５は、側壁板６１，６２を切り欠いて形成してもよい。
【００５４】
保護対象のガスボンベ１２は高圧ガスを充填するガスボンベでなくともよい。
【符号の説明】
【００５５】
１１…ガスボンベカバー
１２…ガスボンベ
１７…設置面
１９…充填弁
２０…取出弁
２５…アンカーボルト
３１…本体部
３２…脚部
３３…下端開口
３４…固定部
３４ａ…貫通穴
３５…上端開口
５１…屋根板
６１，６２…側壁板
【図１】
2020133851.tif 000003
【図２】
2020133851.tif 000004
【図３】
2020133851.tif 000005
【図４】
2020133851.tif 000006
【図５】
2020133851.tif 000007
【図６】
2020133851.tif 000008